【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
電力線ネットワークでデータを送信するための方法であって、
レシーバからユーザ位相識別を受信し、
前記レシーバへ前記電力線ネットワークで送信されるべき少なくとも１つのシンボル・ストリームを生成し、
複数のスケーリングされたシンボル・ストリームを生成するため重みベクトルを用いて前記少なくとも１つのシンボル・ストリームをスケーリングすることであって、前記重みベクトルが前記電力線ネットワークの位相に対応する複数の重みを含み、前記スケーリングが前記ユーザ位相を介する伝送のため前記シンボル・ストリームを最適化し、更に、
前記スケーリングされたシンボル・ストリームの各々を前記電力線ネットワークの対応する位相で送信すること、
を含む、方法。
【請求項２】
請求項１に記載の方法であって、前記少なくとも１つのシンボル・ストリームの２つ以上が同じである、方法。
【請求項３】
請求項１に記載の方法であって、
第１の時間に、第１のスケーリングされたシンボル・ストリームを第１の位相で、及び第２のスケーリングされたシンボル・ストリームを第２の位相で送信し、
第２の時間に、前記第２のスケーリングされたシンボル・ストリームの負の共役転置（conjugate transpose）を前記第１の位相で、及び前記第１のスケーリングされたシンボル・ストリームの共役転置を前記第２の位相で送信すること、
を更に含む、方法。
【請求項４】
請求項３に記載の方法であって、
前記第１及び第２の時間に送信される前記シンボル・ストリームを受信し、
レシーバ内で前記シンボル・ストリームを結合して変更された受信信号をつくり、更に、
前記変更された受信信号を復号すること、
を更に含む、方法。
【請求項５】
請求項１に記載の方法であって、
前記電力線ネットワークの対応する位相で前記スケーリングされたシンボル・ストリームの各々を受信し、
前記受信したスケーリングされたシンボル・ストリームの各々に受信信号重みを適用し、更に、
前記重み付けされた受信しスケーリングされたシンボル・ストリームを組み合わせること、
を更に含む、方法。
【請求項６】
請求項１に記載の方法であって、
前記電力線ネットワークの送信端部の各位相と前記電力線ネットワークの受信端部の各位相との間のカップリング係数を含む電力線カップリング行列を生成することを更に含み、
前記重みベクトルが前記電力線カップリング行列内のデータに基づいて選択される、方法。
【請求項７】
請求項６に記載の方法であって、トランスミッタが、前記電力線ネットワークにより前記トランスミッタに結合されるレシーバからのフィードバックに基づいて前記電力線カップリング行列を生成する、方法。
【請求項８】
請求項６に記載の方法であって、トランスミッタが、前記電力線ネットワークにより前記トランスミッタに結合されるレシーバから送信される信号に基づいて前記電力線カップリング行列を生成する、方法。
【請求項９】
請求項１に記載の方法であって、前記重みベクトルが既定のコードブックから選択される、方法。
【請求項１０】
請求項９に記載の方法であって、トランスミッタが、レシーバによって識別されるコードブック・インデックスに基づいて前記既定のコードブックから前記重みベクトルを選択する、方法。
【請求項１１】
請求項１に記載の方法であって、前記ユーザ位相識別が前記レシーバ内のゼロクロス検出器により判定される、方法。
【請求項１２】
請求項１に記載の方法であって、前記電力線ネットワークの性能基準を最適化するために重みベクトルが選択され、前記性能基準が信号対雑音（ＳＮＲ）、ビット誤り率（ＢＥＲ）、又は電力線ネットワークチャネル容量のうち少なくとも１つを含む、方法。
【請求項１３】
請求項１に記載の方法であって、
前記スケーリングされたシンボル・ストリームの各々を、前記電力線ネットワークの前記対応する位相専用のライン・ドライバ、変圧器、及びカップリング・コンデンサに結合することを更に含む、方法。
【請求項１４】
請求項１に記載の方法であって、
前記スケーリングされたシンボル・ストリームの各々を、ライン・ドライバ及び変圧器に結合し、更に、
前記スケーリングされたシンボル・ストリームの各々を、前記変圧器から前記電力線ネットワークの前記対応する位相専用のカップリング・コンデンサに切り替えること、
を更に含む、方法。
【請求項１５】
請求項１に記載の方法であって、
前記スケーリングされたシンボル・ストリームの各々をライン・ドライバに結合し、更に、
前記スケーリングされたシンボル・ストリームの各々を、前記ライン・ドライバから前記電力線ネットワークの前記対応する位相専用のカップリング・コンデンサに切り替えること、
を更に含む、方法。
【請求項１６】
トランスミッタであって、
一つ又はそれ以上のデータストリームをつくる信号生成回路、及び、
前記一つ又はそれ以上のデータストリームを重みベクトルでスケーリングして複数のスケーリングされたデータストリームをつくるプリコード回路であって、前記スケーリングされたデータストリームの各々が、電源サイクル（mains cycle）の特定の位相でのレシーバへの伝送に適応されており、かつ、前記スケーリングされたデータストリームの各々を電力線ネットワークの指定された位相に結合する、プリコード回路、
を含む、トランスミッタ。
【請求項１７】
請求項１６に記載のトランスミッタであって、前記信号生成回路が、複数のレシーバに関連する位相を識別し、前記信号生成回路が各位相に対し一度に１つのみのデータストリームをつくる、トランスミッタ。
【請求項１８】
請求項１６に記載のトランスミッタであって、
前記プリコード回路に結合されるダイバーシティ分配回路を更に含み、前記ダイバーシティ分配回路が、第１の時間に、第１のスケーリングされたデータストリームを電力線ネットワークの第１の位相に、及び第２のスケーリングされたデータストリームを電力線ネットワークの第２の位相に送信し、かつ、第２の時間に、前記第２のスケーリングされたデータストリームの変更されたバージョンを前記第１の位相で、及び前記第１のスケーリングされたデータストリームの変更されたバージョンを前記第２の位相で送信し、前記第１のスケーリングされたデータストリーム及び前記第２のスケーリングされたデータストリームの前記変更されたバージョンが、前記第１のスケーリングされたデータストリーム及び前記第２のスケーリングされたデータストリームの共役転置を含む、
トランスミッタ。
【請求項１９】
請求項１６に記載のトランスミッタであって、送信されるべき前記１つ又はそれ以上のデータストリームの少なくとも２つが同じである、トランスミッタ。
【請求項２０】
請求項１６に記載のトランスミッタであって、前記重みベクトルが既定のコードブックから選択される、トランスミッタ。
【請求項２１】
請求項１６に記載のトランスミッタであって、
前記プリコード回路から前記複数のスケーリングされたデータストリームの各々を受信する個別のライン・ドライバ、
対応するライン・ドライバからスケーリングされたデータストリームを受信する個別の変圧器、及び、
各変圧器を前記電力線ネットワークの前記位相の一つに連結する個別のカップリング・コンデンサ、
を更に含む、トランスミッタ。
【請求項２２】
請求項１６に記載のトランスミッタであって、
前記プリコード回路から前記複数のスケーリングされたデータストリームの各々を受信するライン・ドライバ、
前記ライン・ドライバから前記複数のスケーリングされたデータストリームの各々を受信する変圧器、
前記変圧器を複数のカップリング・コンデンサに切り替え可能に接続するように適合されるスイッチを更に含み、前記カップリング・コンデンサの各々が、前記電力線ネットワークの前記位相の一つに連結される、
トランスミッタ。
【請求項２３】
請求項１６に記載のトランスミッタであって、
前記プリコード回路から前記複数のスケーリングされたデータストリームの各々を受信するライン・ドライバ、
前記ライン・ドライバを複数の変圧器に切り替え可能に接続するように適合されるスイッチを更に含み、前記変圧器の各々が、カップリング・コンデンサにより前記電力線ネットワークの位相に結合される、
トランスミッタ。
【請求項２４】
電力線に結合されるレシーバであって、
前記電力線に関連する位相を識別するように適合されるゼロクロス検出器、
前記ゼロクロス検出器からの情報を含む位相信号を前記電力線で遠隔トランスミッタに送信するように適合されるプロセッサ、
前記電力線ネットワークからデータストリームを受信するカプラー、
前記カプラーから前記データストリームを受信するスケーリング回路であって、前記受信したデータストリームに信号重みを適用して重み付けされたデータストリームをつくる、前記スケーリング回路、及び、
組み合わされた重み付けされたデータストリームを受信する復号回路、
を含む、レシーバ。
【請求項２５】
請求項２４に記載の前記レシーバであって、
前記スケーリング回路から前記重み付けされたデータストリームを受信し、前記結合されたデータストリームを前記復号回路に送信する前に、前記重み付けされたデータストリームを結合するコンバイナーを更に含む、レシーバ。
【請求項２６】
請求項２４に記載の前記レシーバであって、前記復号回路が、第１の時間にデータストリームの第１のグループを受信し、第２の時間にデータストリームの第２のグループを受信し、前記復号回路が、データストリームの前記第１及び第２のグループを組み合わせて、変更された受信信号を復号する前に、変更された受信信号をつくる、レシーバ。
【手続補正２】
【補正対象書類名】明細書
【補正対象項目名】００２８
【補正方法】変更
【補正の内容】
【００２８】
【図１３】図１３は、サブステーションを住居に接続する典型的な電気的配電システムを図示する。
【図１４】図１４は、実施例に従うパワーライン通信のためのモデムを図示するものである。